(57)【要約】【課題】  リアルでより自然感のある模様を建築材の表面に形成する。【解決手段】  電磁弁開閉式のディスペンサー２の下端部に備えた噴射ノズル３の周囲に加圧エアーを供給し、噴射ノズルから吐出量が制御されて噴射された塗料を加圧エアーにより霧化し、印刷または塗装された建築材１の表面に霧化された塗料を付着させ、ぼかし模様を付加する。【選択図】 図１
2007029831.tif 000002
【特許請求の範囲】
【請求項１】
電磁弁開閉式のディスペンサーの下端部に備えた噴射ノズルの周囲に加圧エアーを供給し、噴射ノズルから吐出量が制御されて噴射された塗料を加圧エアーにより霧化し、印刷または塗装された建築材の表面に霧化された塗料を付着させ、ぼかし模様を付加することを特徴とする建築材の表面架飾方法。
【請求項２】
塗料が、クリアー塗料に着色顔料が混合されたカラークリアー塗料である請求項１記載の建築材の表面架飾方法。
【請求項３】
塗料は、フォードカップ４号式で１０〜３００秒の粘度範囲にあるものである請求項１または２記載の建築材の表面架飾方法
【請求項４】
電磁弁の開閉のサイクルが３ｍｍｓｅｃまで短縮化されている請求項１ないし３いずれか１項に記載の建築材の表面架飾方法。
【発明の詳細な説明】
【技術分野】
【０００１】
本願発明は、建築材の表面に模様を形成する建築材の表面架飾方法に関するものである。
【背景技術】
【０００２】
建築用の外装材および内装材として用いられる建築材については、自然感のある表面模様が形成されるように、様々な塗装方法が提案されている。
【０００３】
たとえば特許文献１に記載された塗装方法では、異なる色の塗料が供給される複数のスプレーガンを建築板の搬送方向と直交する方向に往復移動させながら、各スプレーガンを間欠的にオン/オフして各スプレーガンから異なる色の塗料を建築板の表面に間欠的に噴霧し、建築板の表面に自然な風合いの多色ぼかし模様を塗装している。
【特許文献１】特許第３３７７１４６号公報
【発明の開示】
【発明が解決しようとする課題】
【０００４】
だが、より自然でリアルな模様を建築材の表面に形成させるためには、さらなる検討が必要とされている。
【０００５】
本願発明は、このような事情に鑑みてなされたものであり、リアルでより自然感のある模様を建築材の表面に形成することのできる建築材の表面架飾方法を提供することを課題としている。
【課題を解決するための手段】
【０００６】
本願発明は、上記の課題を解決するために、第１には、電磁弁開閉式のディスペンサーの下端部に備えた噴射ノズルの周囲に加圧エアーを供給し、噴射ノズルから吐出量が制御されて噴射された塗料を加圧エアーにより霧化し、印刷または塗装された建築材の表面に霧化された塗料を付着させ、ぼかし模様を付加することを特徴としている。
【０００７】
本願発明は、第２には、塗料が、クリアー塗料に着色顔料が混合されたカラークリアー塗料であることを特徴としている。
【０００８】
本願発明は、第３には、塗料は、フォードカップ４号式で１０〜３００秒の粘度範囲にあるものであることを特徴としている。
【０００９】
本願発明は、第４には、電磁弁の開閉のサイクルが３ｍｍｓｅｃまで短縮化されていることを特徴としている。
【発明の効果】
【００１０】
本願の第１の発明によれば、先に印刷または塗装された建築材の表面に霧化された塗料を付着させ、ぼかし模様を付加するため、建築材の表面にリアルでより自然感のある模様を形成することができる。また、ディスペンサーは電磁弁開閉式であるため、電磁弁の開閉時間を制御することにより噴射ノズルからの塗料の吐出量を制御することができ、模様の濃淡を塗料の濃度を調節することなく表現することができる。
【００１１】
本願の第２の発明によれば、耐候性を維持したまま自然感のあるぼかし模様を形成することができる。
【００１２】
本願の第３の発明によれば、高粘度の塗料の使用が可能となる。
【００１３】
本願の第４の発明によれば、電磁弁の応答が速くなり、塗料の吐出量を細かく制御することができ、細かな濃淡の表現が可能となる。
【発明を実施するための最良の形態】
【００１４】
図１は、本願発明の建築材の表面架飾方法におけるぼかし模様を表現するための塗料のディスペンサーとその周辺を示した要部断面図である。
【００１５】
金属板、無機質板、樹脂板等の建築材１の表面にぼかし模様を形成させる塗料は、ディスペンサー２から供給される。ディスペンサー２は、電磁弁開閉式のものであり、下端部に塗料を建築板１に向けて噴射する噴射ノズル３を備えている。ディスペンサー２の噴射ノズル３の周辺には塗料の霧化装置４が付設されている。
【００１６】
霧化装置４は、中央部にエアー噴出口５を有している。ディスペンサー２の噴射ノズル２は、このエアー噴出口５の内部に配置されている。エアー噴出口５の上端部から側方には水平なエアー供給路６が形成されていて、エアー供給路６は、霧化装置４の側部に突設されたエアー配管接続継手７に連通している。
【００１７】
ディスペンサー２内の塗料が噴射ノズル３から噴射する時、霧化装置４では、エアー供給路６を通じて加圧エアーがエアー噴出口５に供給される。加圧エアーは噴射ノズル３の周囲に噴出し、噴射ノズル３から噴射する塗料をより微細なミスト状にし、霧化させる。このようにして霧化した塗料が建築材１の表面に落下し、付着する。
【００１８】
建築材１は、霧化塗料の塗装以前に、表面が所望の表面模様に応じてロール印刷、スクリーン印刷、スプレー塗装などにより印刷または塗装されている。表面は、フラットであっても、0.1〜10.0ｍｍのエンボスが形成されたもの、さらに大きな凹凸を有するものであってもよい。石やレンガなどのように凹凸を有するもの、木目模様に合わせて凹凸を有するものなどとすることができる。霧化塗料の付着は、印刷または塗装された建築材１の表面にぼかし模様を付加させ、建築材１の表面とあいまって、石や木目の雰囲気を引き立たせ、また、独特の自然に汚れた感じや色の変化を表現することができ、リアルでより自然感のある模様を実現する。
【００１９】
塗料の霧化は、建築材１の表面に付着する塗料の玉の境界を分かりにくくし、より自然な模様とする。霧化せずに塗料を噴射ノズル３から噴射すると、塗料が玉となって建築材１の表面に落下し、不自然な模様となってしまう。
【００２０】
ディスペンサー２は、上記の通り、電磁弁開閉式である。開閉時間は自在に変化させることができ、開閉時間の長短によって塗料の吐出量を制御することができる。開時間が長いと、噴射ノズル３からの塗料の吐出量は多くなり、その結果、建築材１の表面に形成される模様は濃くなる。開時間が短いと塗料の吐出量は少なくなり、模様は薄くなる。このため、塗料の濃度を調整しなくとも、電磁弁の開閉時間を変化させることによって、模様の濃淡を表現することができる。電磁弁の開閉時間は、たとえば１サイクルで３ｍｍｓｅｃまで短縮化することができる。電磁弁の応答を速くすることにより、噴射ノズル３からの塗料の吐出量を細かく変化させることができ、細かな濃淡の表現が可能となる。
【００２１】
塗料については、クリアー塗料に着色顔料が混合されたカラークリアー塗料を好ましいものとして例示することができる。カラークリアー塗料によってさらに自然感のあるぼかし模様が可能となる。エナメル塗料は、建築材１の表面を隠蔽するため、塗装によって非常に濃い不自然な模様が形成されてしまう。ぼかした感じを表現するためには、エナメル塗料を数十倍に薄める必要があるが、希釈すると、耐候性が低下することから紫外線カットを目的として保護層を追加して塗装する必要が生じる。クリアー塗料を主成分とするカラークリアー塗料には、エナメル塗料におけるそのような不都合がなく、扱いやすいものである。耐候性を維持したまま、自然感のあるぼかし模様を可能とする。なお、クリアー塗料には、必要に応じて酸化亜鉛等の紫外線カット材を添加することができる。
【００２２】
また、カラークリアー塗料には、溶剤系、水系、高粘度、低粘度を問わずに使用することができる。粘度の測定器具として知られているフォードカップ４号で測定した時に、１０〜３００秒の粘度範囲にあるものが例示される。高粘度の塗料までも使用可能であり、霧化も可能である。
【００２３】
なお、霧化装置４において、エアー噴出口５と噴射ノズル３との間の隙間ａは、0.2〜0.8ｍｍ、好ましくは、0.4〜0.5ｍｍ、エアー噴出口５と噴射ノズル３の先端との距離ｂは、0.5〜3.0ｍｍ、エアー供給路６の口径ｃは1.0〜3.0ｍｍが適当である。
【００２４】
噴射ノズル３からの塗料の吐出量は、１０〜３０ｇ/分程度とし、噴射ノズル３から噴射する塗料を霧化する加圧エアーの圧力としては、たとえば0.2〜0.4ＭＰａの範囲が例示される。この範囲にある加圧エアーは塗料の霧化に好適である。
【００２５】
霧化装置４の下端から建築材１の表面までの距離ｄは、一般に４０〜６０ｍｍが適当である。４０ｍｍより近いと、模様が強くなり、ぼかした感じが損なわれ、６０ｍｍより遠いと、塗料が広がるので模様がぼやけた感じなり過ぎ、いずれの場合も所望のぼかし模様が形成されにくくなる。
【００２６】
建築材１の表面を架飾する際には、建築材１の幅方向に複数の噴射ノズル３を並設し、建築材１の全幅の塗装が可能となるようにする。各噴射ノズル３には霧化装置４を装着しておく。
【００２７】
ぼかし模様の塗装パターンは、あらかじめパソコンやシーケンサーなどによりデータ処理し、プログラムとして登録することができる。所望の模様に応じて塗装パターンを適宜選択できるようにしておく。たとえば、自然石調のプレス模様が形成された建築材１の表面に自然な汚れ感を表現する場合、同一のプレス模様に対して数種の異なる塗装パターン（たとえば、濃淡、塗装位置（塗る位置と塗らない位置）、色など）をあらかじめ登録しておき、その中から適当なものを選定するようにする。また、塗装パターンは、エンボスなどの凹凸模様に合わせて塗装可能なようにしておく。
【００２８】
塗装パターンをパソコンのデータから選定し、塗装を開始すると、霧化装置４により加圧エアーが噴射ノズル３の周囲に供給され、電磁弁が、コントローラーにより制御されて開閉し、噴射ノズル３の下方を自動搬送される建築材１の表面に霧化塗料が塗布される。建築材１の表面の架飾を自動的に行うことができる。
【図面の簡単な説明】
【００２９】
【図１】本願発明の建築材の表面架飾方法におけるぼかし模様を表現するための塗料のディスペンサーとその周辺を示した要部断面図である。
【符号の説明】
【００３０】
１    建築材
２    ディスペンサー
３    噴射ノズル
４    霧化装置
５    エアー噴出口
６    エアー供給路
７    エアー配管接続継手
【図１】
2007029831.tif 000003